(57)【要約】      （修正有）【課題】フックを電動工具に確実に固定することができる取付構造の提供。【解決手段】電動工具本体に形成された係入孔１２に係入される係入部１０を有し、電動工具本体に軸支されたフック固定具１７により係入部１０が固定される電動工具のフック７において、フック固定具１７が戻り止め手段１９ａ，１９ｂ，１９ｃ，２０，２１を介して電動工具本体に軸支される。フック固定具１７を軸回りに回すことで簡易に係入部１０を固定することができ、また、一旦フック固定具１７が係入部１０を固定するとその固定状態の不意な解除が防止される。【選択図】図３
2005081460.tif 000002
【特許請求の範囲】
【請求項１】
電動工具本体に形成された係入孔に係入される係入部を有し、電動工具本体に軸支されたフック固定具により係入部が固定される電動工具のフック取付構造において、フック固定具が戻り止め手段を介して電動工具本体に軸支されたことを特徴とする電動工具のフック取付構造。
【請求項２】
電動工具本体に形成された係入孔に係入される係入部を有し、電動工具本体に軸支されたフック固定具により係入部が固定される電動工具のフック取付構造において、係入部に折曲部が形成され、この折曲部が電動工具本体の嵌入孔に嵌入されたことを特徴とする電動工具のフック取付構造。
【発明の詳細な説明】
【技術分野】
【０００１】
本発明は、電動工具を吊り下げるためのフック取付構造に関する。
【背景技術】
【０００２】
電動工具には作業者のベルト等に電動工具を掛止するためのフックが着脱自在に取り付けられる。従来、フックは線材を折り曲げることにより形成され、その両端には係入部が形成される。一方、電動工具のハウジングには、フックの各係入部を挿入する係入孔が形成されると共に、係入孔に挿入されたフックの係入部に係合するフック固定具が取り付けられる。フックの一方の係入部をハウジングの係入孔に挿入した後、この係入部を支点にフック全体を回転させて他方の係入部を他の係入孔に挿入し、この他方の係入部をフック固定具で固定することにより、ハウジングに対するフックの取り付けが行われる（例えば、特許文献１参照。）。
【０００３】
【特許文献１】特開２００１−１９１２６９号公報
【発明の開示】
【発明が解決しようとする課題】
【０００４】
フック固定具はハウジングに軸部を介して保持される。軸部を支点にフック固定具を一方向に回すとフックの係入部が係止され、逆方向に回すとフックの係入部が解放される。ところが、従来のフック固定具は単に軸部で支持するのみであり、また、フック固定具に係止されるフックの係入部は係入孔内でその軸方向にスライド可能であるため、フックやフック固定具にガタツキを生じやすい。
【０００５】
したがって、本発明はこのような不具合を解消することができる電動工具のフック取付構造を提供することを目的とする。
【課題を解決するための手段】
【０００６】
上記課題を解決するため、請求項１に係る発明は、電動工具本体（３０）に形成された係入孔（１１，１２）に係入される係入部（９，１０）を有し、電動工具本体（３０）に軸支されたフック固定具（１７）により係入部（９又は１０）が固定される電動工具のフック取付構造において、フック固定具（１７）が戻り止め手段（１９ａ，１９ｂ，１９ｃ，２０，２１）を介して電動工具本体（３０）に軸支された電動工具のフック取付構造を採用する。
【０００７】
また、請求項２に係る発明は、電動工具本体（３０）に形成された係入孔（１１，１２）に係入される係入部（９，１０）を有し、電動工具本体（３０）に軸支されたフック固定具（１７）により係入部（９又は１０）が固定される電動工具のフック取付構造において、係入部（９又は１０）に折曲部（９ａ又は１０ａ）が形成され、この折曲部（９ａ又は１０ａ）が電動工具本体（３０）の嵌入孔（１６）に嵌入された電動工具のフック取付構造を採用する。
【発明の効果】
【０００８】
請求項１に係る発明によれば、電動工具本体（３０）に形成された係入孔（１１，１２）に係入される係入部（９，１０）を有し、電動工具本体（３０）に軸支されたフック固定具（１７）により係入部（９又は１０）が固定される電動工具のフック取付構造において、フック固定具（１７）が戻り止め手段（１９ａ，１９ｂ，１９ｃ，２０，２１）を介して電動工具本体（３０）に軸支されたことから、フック固定具（１７）を軸回りに回すことで簡易に係入部（９又は１０）を固定することができ、また、一旦フック固定具（１７）が係入部（９又は１０）を固定するとその固定状態は強固となる。
【０００９】
請求項２に係る発明によれば、電動工具本体（３０）に形成された係入孔（１１，１２）に係入される係入部（９，１０）を有し、電動工具本体（３０）に軸支されたフック固定具（１７）により係入部（９又は１０）が固定される電動工具のフック取付構造において、係入部（９又は１０）に折曲部（９ａ又は１０ａ）が形成され、この折曲部（９ａ又は１０ａ）が電動工具本体（３０）の嵌入孔（１６）に嵌入されるので、フック（７）の係入部（９又は１０）を係入孔（１１，１２）内で移動しないように固定し、フック（７）やフック固定具（１７）のガタツキを防止することができる。
【発明を実施するための最良の形態】
【００１０】
以下、図面を参照して発明を実施するための最良の形態について説明する。
【００１１】
図１に示すように、電動工具であるインパクトドライバは、前部ハウジング１と、後部ハウジング２と、ハンドル３と、バッテリ４とを備える。
【００１２】
後部ハウジング２とハンドル３は一体化され、図１の紙面と平行に延びる面で二つ割りされた割片が重ね合わされることにより組み立てられる。後部ハウジング２内には、図示しないがモータ等の駆動部が収納され、ハンドル３の付け根近傍には、モータを駆動するためのトリガー５が設けられる。また、前部ハウジング１内にはモータの回転を減速してビット６に伝達するための図示しない伝動装置が収納される。
【００１３】
ハンドル３を手で握りトリガー５を引くと、モータが起動し、ビット６が回転してネジ締め等の作業を行う。バッテリ４はハンドル３の下端に着脱自在に取り付けられ、ネジ締め等の作業中モータに電力を供給する。
【００１４】
図１乃至図３に示すように、ハンドル３の下端には電動工具を作業者のベルト等に掛けるためのフック７が着脱自在に取り付けられる。もちろんフック７の取付個所はハンドル３に限るものではなく、前部ハウジング１、後部ハウジング２等電動工具本体３０の所望の個所を選ぶことができる。
【００１５】
フック７は、例えば円形断面の金属製線材を屈曲成形してなるもので、略Ｗ型のフック本体８と、フック本体８の両側から突出する係入部９，１０とを備え、両側の係入部９，１０が電動工具本体に連結され、フック本体８の中央の舌状部が作業者のベルト等へ差し込まれるようになっている。
【００１６】
Ｗ字形のフック本体８は、ハンドル３及びバッテリ４の外壁に沿うように配置され、フック本体８の両端から係入部９，１０がフック本体８に対して直角に折れ曲がりハンドル３の方へ突出している。係入部９，１０はハンドル３内へと平行に伸び、各々の先端には上方へと略直角に折れ曲がる折曲部９ａ，１０ａが形成されている。
【００１７】
図１と図３に示すように、ハンドル３には、フック７の各係入部９，１０が挿入される係入孔１１，１２が形成され、各係入孔１１，１２の入口がハンドル３の割り片間を横切る方向に開口している。
【００１８】
一方の係入孔１１はハンドル３の外壁に穿設された第一の孔１１ａとハンドル３の内部に形成された第二の孔１１ｂとで構成される。第一の孔１１ａは折曲部９ａを挿入することができるように横長の長孔に形成される。この長孔は電動工具の略前後方向に伸びる。第二の孔１１ｂは、ハンドル３内に形成されたリブ１３に前後方向に長い長孔として形成される。図２中破線で示すようにフック７を傾けて一方の係入部９の折曲部９ａを第一の孔１１ａからハンドル３内に挿入し、折曲部９ａが第二の孔１１ｂに到達したときにフック７を図２中破線の位置から二点鎖線の位置に回転させるようにすると、折曲部９ａが第二の孔１１ｂに嵌り込む。これにより、フック７はハンドル３から抜け出なくなる。
【００１９】
他方の係入孔１２は、ハンドル３の下端部の連結ネジ１４を通す箇所に設けられたボス１５に形成される。この他方の係入孔１２はボス１５の下方すなわちバッテリ４側に向かって開くＵ字溝として形成される。上述したように一方の係入部９を支点にしてフック７を図２中破線の位置から二点鎖線の位置に回転させると、他方の係入部１０が自動的にこの他方の係入孔１２に嵌り込む。
【００２０】
図２に示すように、ハンドル３における係入孔１２の溝底には、他方の係入部１０の折曲部１０ａが挿入される嵌入孔１６が形成される。図示例では嵌入孔１６は割り片の境界に形成されるが、いずれか一方の割り片に形成してもよい。このように係入部１０の折曲部１０ａが嵌入孔１６内に嵌入されるので、係入部１０は係入孔１２内でその軸方向にガタツキを生じないように固定される。
【００２１】
図２及び図３に示すように、係入孔１１，１２と係合したフック７は、さらにフック固定具１７により電動工具本体であるハンドル３に固定される。
【００２２】
フック固定具１７は、上記ボス１５の割り片間に形成される空隙内に挿入され、割り片間に掛け渡された軸部に回動可能に支持される。
【００２３】
軸部は、ボス１５に通される連結ネジ１４に円筒状のスペーサ１８が被せられることにより形成される。
【００２４】
フック固定具１７は、軸部を支点に回動することでフック７の係入部１０に係脱可能であり、図４（Ａ）に示すように、係入部１０に嵌り込む凹溝１７ａと、係脱操作の際指を掛けるための摘み片１７ｂとを具備する。摘み片１７ｂに指を掛けてフック固定具１７を係入部１０の方に倒すようにすると、図２に示すように、凹溝１７ａの溝底が係入部１０を係入孔１２の溝底に押圧し、係入部１０の折曲部１０ａを嵌入孔１６内に押し込む。これにより、フック７はハンドル３からに抜け出なくなる。逆にフック固定具１７を係入部１０から引き離すように回転させると、係入部１０がフック固定具１７から解放されるので、折曲部１０ａを嵌入孔１６から引き抜くことでフック７はハンドル３外に抜け出し可能になる。
【００２５】
また、フック固定具１７と係入部１０との係合状態は戻り止め手段により保持される。この戻り止め手段は、図３及び図４に示すように、フック固定具１７における軸部の連結ネジ１４等が貫通するボス１７ｃの側面に形成されたラチェット歯１９ａ，１９ｂ，１９ｃと、このラチェット歯１９ａ，１９ｂ，１９ｃと噛み合うようにボス１５の内面に形成された固定歯２０と、フック固定具１７のラチェット歯１９ａ，１９ｂ，１９ｃが固定歯２０と噛み合う方向にフック固定具１７を付勢する弾性体である圧縮コイルバネ２１とを具備する。フック固定具１７を一方向に回して凹溝１７ａを係入部１０と係合させると、ラチェット歯１９ａ，１９ｂ，１９ｃが固定歯２０と噛み合うので、フック固定具１７は係入部１０との係合位置に保持される。フック７をハンドル３から外す際は、圧縮コイルバネ２１の付勢力に抗するようにフック固定具１７を軸部上でスライドさせてラチェット歯１９ａ，１９ｂ，１９ｃと固定歯２０との噛み合いを解き、そのうえでフック固定具１７を反対方向に回せばよい。これにより、フック７の係入部１０が解放される。
【００２６】
固定歯２０は一個でもよいしラチェット歯１９ａ，１９ｂ，１９ｃと同数個でもよい。また、フック固定具１７側に一個の固定歯を設け、ボス１５側にラチェット歯を設けるようにしてもよい。
【００２７】
フック固定具１７と係入部１０との係合状態は上記バッテリ４によっても保持される。すなわち、バッテリ４はハンドル３の下端に図示しない連結手段により連結され、フック固定具１７はこのバッテリ４の押圧作用により解除方向への回動を阻止される。
【００２８】
上記係入孔１１，１２、フック固定具１７等は、後部ハウジング２及びハンドル３の割り片の割面を中心に左右対称に配置され且つ形成されている。このためフック７の係入部９，１０を差し込む向きを変えることにより電動工具の左右いずれの側面にも装着することができる。もちろん係入孔１１，１２を電動工具の前後面に形成することでフック７を電動工具の前部又は後部に取り付けることもできる。
【００２９】
次に、上記電動工具のフック取付構造の作用について説明する。
【００３０】
フック７を電動工具本体３０に装着するには、バッテリ４をハンドル３から外し、フック７を図２中破線で示すように傾けた状態でハンドル３の左右いずれかの側面に向け、一方の係入部９の折曲部９ａを係入孔１１の第一の孔１１ａからハンドル３内に挿入する。
【００３１】
折曲部９ａが係入孔１１の第二の孔１１ｂに到達した時点でフック７を図２中破線の位置から二点鎖線の位置へと回転させると、折曲部９ａが第二の孔１１ｂの縁に引っ掛かる。これによりフック７は係入孔１１からの抜け出しを阻止される。
【００３２】
上記のようにフック７を係入部９を支点にして回転させると、他方の係入部１０がハンドル３の他方の係入孔１２に入り込む。また、この係入部１０の折曲部１０ａがハンドル３の嵌入孔１６内に入り込む。
【００３３】
続いてフック固定具１７を軸部を支点にして回転させ、係入部１０を係入孔１２内に固定する。フック固定具１７を係入部１０の方に回転させると、フック固定具１７の凹溝１７ａ内に係入部１０が嵌り込み、係入部１０の折曲部１０ａが嵌入孔１６内に嵌り込む。これにより、フック７の係入部１０は係入孔１２内での係入部１０の軸方向への移動を阻止され、フック７のガタツキが防止される。
【００３４】
また、フック固定具１７は戻り止め手段であるラチェット歯１９ａ，１９ｂ，１９ｃと固定歯２０との噛み合いにより、逆向きへの回転が阻止される。これにより、係入部１０ひいてはフック７はハンドル３に確実に固定される。
【００３５】
フック固定具１７が所定位置に装着された後、バッテリ４がハンドル３に取り付けられる。フック固定具１７はこのバッテリ４によってもハンドル３側に押し付けられる。
【００３６】
このようにして電動工具本体３０に取り付けられたフック７のフック本体８を作業者のベルト等へ差し込むことにより、電動工具を作業者の腰や保管棚等に吊るすことができる。また、フック７を作業者の腰等に引っ掛けた場合等において外力がフック７に作用しても、フック７の係入部９，１０は係入孔１１，１２、フック固定具１７、嵌入孔１６との係合によりハンドル３外への抜け出しを阻止される。
【００３７】
フック７を電動工具本体３０から取り外す場合は、バッテリ４をハンドル３から除去し、フック固定具１７を係入部１０から離脱させた上で、フック７を図２中二点鎖線位置から破線位置へと回し、ハンドル３外に引き抜くようにすればよい。
【００３８】
なお、図示例の電動工具はインパクトドライバであるが、他の種類の電動工具、或いはバッテリ４を使用しない電動工具にも本発明は適用可能である。
【図面の簡単な説明】
【００３９】
【図１】本発明に係るフックを電動工具であるインパクトドライバと共に示す立面図である。
【図２】図１中、ハンドルの片側の割り片を除去して示す要部拡大図である。
【図３】図２中、ＩＩＩ−ＩＩＩ線矢視断面である。
【図４】（Ａ）はフック固定具の側面図、（Ｂ）はフック固定具のラチェット歯の展開図である。
【符号の説明】
【００４０】
３…ハンドル
７…フック
９，１０…係入部
９ａ，１０ａ…折曲部
１１，１２…係入孔
１６…嵌入孔
１７…フック固定具
１９ａ，１９ｂ，１９ｃ…ラチェット歯
２０…固定歯
２１…圧縮コイルバネ
【図１】
2005081460.tif 000003
【図２】
2005081460.tif 000004
【図３】
2005081460.tif 000005
【図４】
2005081460.tif 000006